(57)【要約】【課題】  ディスクラバーのずれや剥がれが発生しにくいディスク固定装置およびこれを備えた記録ディスク回転駆動用モータを提供することである。【解決手段】  この記録ディスク保持装置は、記録ディスクＤの滑り止めのためにディスクラバー２２が粘着剤２２ａによってターンテーブル２１に固着されている。ターンテーブル２１におけるディスクラバー２２が固着される面２１ａには、複数状の円環状溝２５を備え、ディスクラバー２２とターンテーブル２１との摩擦抵抗を大きくし双方の密着性を高めて、ディスクラバ２２ーが固着されている。また、この記録ディスク回転駆動用モータは、上記ターンテーブル２１がモータ部４によって回転する構成である。【選択図】  図１
2006202448.tif 000002
【特許請求の範囲】
【請求項１】
記録ディスクが着脱自在に載置され、モータによって回転するターンテーブルと、
載置された前記記録ディスクが前記ターンテーブルに対して滑らないように、前記ターンテーブルに粘着剤によって固着された円環状のディスクラバーと、
を備え、
前記記録ディスクが、押圧力付与手段によって前記ターンテーブル上に押圧されることによって保持される記録ディスク保持装置であって、
前記ターンテーブルにおける前記ディスクラバーが固着される面には、凸部又は凹部の何れかを備えることを特徴とする記録ディスク保持装置。
【請求項２】
前記凸部又は凹部は、前記ターンテーブルの回転中心線を中心とする円環状に形成されていることを特徴とする請求項１に記載の記録ディスク保持装置。
【請求項３】
前記ターンテーブルの前記ディスクラバーが固着される面には凹部が形成され、該凹部の深さおよび幅はそれぞれ、粘着剤自体の厚みの５〜６０％程度に設定されていることを特徴とする請求項２に記載の記録ディスク保持装置。
【請求項４】
前記ターンテーブルの前記ディスクラバーが固着される面には凸部が形成され、該凸部の高さおよび幅はそれぞれ、粘着剤自体の厚みの５〜６０％程度に設定されていることを特徴とする請求項２に記載の記録ディスク保持装置。
【請求項５】
前記ディスクラバーは、前記凸部又は前記凹部と嵌合する嵌合部を備えていることを特徴とする請求項１に記載の記録ディスク保持装置。
【請求項６】
請求項１〜５の何れかに記載の記録ディスク保持装置と、
前記ターンテーブルを回転するためのモータと、
を備えることを特徴とする記録ディスク回転駆動用モータ。
【発明の詳細な説明】
【技術分野】
【０００１】
本発明は、ＣＤ、ＤＶＤなどの着脱可能な記録ディスクをターンテーブル上に保持することができる記録ディスク保持装置およびこれを備えた記録ディスク回転駆動用モータに関する。
【背景技術】
【０００２】
ＣＤ、ＤＶＤなどの着脱式の記録ディスクに対応した記録ディスク回転駆動用モータは、記録ディスクを保持する記録ディスク保持装置を備えている（特許文献１）。
【０００３】
この記録ディスク保持装置は、モータの回転軸に固定された円板状のターンテーブルに記録ディスクが載置され、クランパがその記録ディスクの上面をターンテーブルに向かって押圧されることによって、その記録ディスクを保持する。クランパは、ターンテーブルとの間に磁気的に吸引する機構を備えている。クランパはターンテーブルとの間の磁気的吸引力によってディスクを固定することができ、クランパにその磁気的吸引力より大きな力を加えてターンテーブルからクランパを取り外すと、記録ディスクを取り外すことができる仕組みになっている。
【０００４】
ターンテーブルのディスク載置部には、載置された記録ディスクが回転中に滑らないように円環状のディスクラバーが貼り付けられている。ディスクラバーは、一方の面の粘着剤によってターンテーブルに貼り付けられている。ディスクラバーは、ディスクが固定されると、幾分収縮してディスク面との密着性が高まって双方の摩擦抵抗が大きくなるため、ターンテーブルに対して滑ることなく記録ディスクを高速回転することができる。
【０００５】
【特許文献１】特開平８−２４９８０７号公報
【発明の開示】
【発明が解決しようとする課題】
【０００６】
ところで、近年の記録ディスク駆動装置は、記録ディスクの記録容量の増大化や、データ応答性の高速化などのために、記録ディスク回転駆動用モータが一層、高速回転し、遠心力が大きく作用する傾向にある。したがって、ディスクラバーは、それ自体の遠心力とともに記録ディスクから受ける力によって、回転中はターンテーブルに対して半径方向外方に大きく付勢された状態となる。モータが停止すると、その半径方向外方の付勢力は解除されることから、回転と停止を繰り返す毎にディスクラバーが伸縮する。これが原因となって、ディスクラバーがずれたり剥がれるといった不具合が発生することがあった。
【０００７】
また、上述のように記録ディスク回転駆動用モータが高速回転化すると発熱量が増大して、ディスクラバーの温度が上昇する。ディスクラバーの粘着剤は、高温になると粘着力が低下することから、これが原因となって上述のディスクラバーのずれや剥がれが発生する場合もある。粘着力の低下は、モータが高速回転されなくても記録ディスク駆動装置が高温環境下で使用されるだけでも発生することがある。
【０００８】
本発明の目的は、ディスクラバーのずれや剥がれが発生しにくい記録ディスク保持装置およびこれを備えた記録ディスク回転駆動用モータを提供することである。
【課題を解決するための手段】
【０００９】
本発明の記録ディスク保持装置は、記録ディスクの滑り止めのためにディスクラバーが粘着剤によってターンテーブルに固着されている。ターンテーブルにおけるディスクラバーが固着される面には、凸部又は凹部の何れかを備え、ディスクラバーとターンテーブルとの摩擦抵抗を大きくし双方の密着性を高めて、ディスクラバーが固着されている。また、ディスクラバーに、そのターンテーブル側の凸部又は凹部に嵌合する嵌合部を設けて、双方の密着性を高めてもよい。これらの構成により、ディスクラバーに半径方向外方に力が作用しても、ディスクラバーが容易にずれたり剥がれるといったことを防止できる。また温度変化などによって粘着剤の粘着力が低下した場合でもディスクラバーのずれや剥がれを防止できる。
【００１０】
また、本発明の記録ディスク回転駆動用モータは、上記ターンテーブルに固定されている。
【発明の効果】
【００１１】
本発明の記録ディスク保持装置は、ディスクラバーが容易にずれたり剥がれたりしないので、高速回転で使用されたり、高温環境下で使用される場合でも記録ディスクを安定して保持することができる。
【００１２】
本発明の記録ディスク回転駆動用モータは、高速回転したり高温環境下で使用されても記録ディスクを安定して保持して回転駆動することができる。
【発明を実施するための最良の形態】
【００１３】
本発明の記録ディスク保持装置およびこれを備えた記録ディスク回転駆動用モータにかかる実施形態について説明する。図１は、ＣＤ、ＤＶＤなどの着脱式記録ディスクを回転駆動するための記録ディスク回転駆動用モータを示す側面図である。図１の側面図は、構成をわかりやすくするために一部、断面図を含む。
【００１４】
図１の記録ディスク回転駆動用モータ１は、記録ディスクＤを搭載する記録ディスク固定装置２と、記録ディスク保持装置２を回転駆動するためのモータ部４とから構成され、モータ部４の回転によって記録ディスク保持装置２も同時に回転する。
【００１５】
モータ部４は、一般的なブラシレスモータであって、ロータ４１の上面からシャフト４２が突出し、ロータ４１の下側にはモータ取付板４３が設けられている。記録ディスク固定装置２は、シャフト４２の上端部に嵌合固定されている。
【００１６】
記録ディスク保持装置２は、合成樹脂で形成された円板状のターンテーブル２１の外周部にディスクラバー２２が固着されている。ディスクラバー２２は、ゴムで形成された薄肉かつ円環状の部材であり、一方の面に粘着剤２２ａが設けられている。ターンテーブル２１は、金属製であってもよい。また、ターンテーブル２は、モータ部４のロータ４１の上面をディスク載置面として形成されてもよい。
【００１７】
ターンテーブル２１には、記録ディスクＤの装着時に記録ディスクＤと記録ディスク保持装置２との中心を合わせるためのディスク調芯部２３を備えている。ディスク調芯部２３は、回転中心線Ｌの周りに外周面が上方に向けて縮径する円錐面に、弾性的に可動する複数の調芯爪（図略）を周方向に等配して設けられている。ティスク調芯部２３の内側には、磁性材からなる円環状のヨーク２４ａとこの上に円環状の固定用磁石２４ｂが円環状凹部に挿入されている。記録ディスクＤは、ディスク調芯部２３の上端から下端に向けて案内されると、ディスク調芯部２３の円錐面および調芯爪によって芯出しされてターンテーブル２１に載置される。載置された記録ディスクＤは、クランパＣ（押圧力付与手段）によってターンテーブル２１側に押圧されることによって、ターンテーブル２１に固定される。クランパＣは、記録ディスク駆動装置（図示略）に搭載されており、記録ディスクＤがターンテーブル２１に載置されると降下し、固定済みの記録ディスクＤを外す場合に上昇する機構となっている。クランパＣは、磁性体ｃ１を備えており、固定用磁石２３ｂとの磁気吸引力によって、ターンテーブル２１に固定される。
【００１８】
ディスクラバー２２が固着されるターンテーブル２１の固着面２１ａには、図２に示すように、回転中心線Ｌを中心とした複数条の円環状溝２５が半径方向に等間隔をあけて形成されている。固着面２１ａは回転中心線Ｌに垂直な面である。円環状溝２５は、固着面２１ａから窪む凹部として形成されている。円環状溝２５は、深さが約０．０５ｍｍで幅が約０．２ｍｍである。ディスクラバー２２の肉厚が約０．２ｍｍで、粘着剤２２ａの肉厚が約０．１５ｍｍである。したがって、ディスクラバー２２をその固着面２１ａに貼り付けると、粘着剤２２ａが固着面２１ａに密着するだけでなく円環状溝２５に食い込んで密着する。
【００１９】
このディスクラバー２２は、上述のように粘着剤２２ａが固着面２１ａに円環状溝２５が食い込むようにして固着されているため、ディスクラバー２２に半径方向外方に過大な付勢力が作用しても、ディスクラバー２２がずれたり剥がれることがない。つまり、その粘着剤２２ａが円環状溝２５に食い込むようにして固着されているため、ディスクラバー２２とターンテーブル２１との半径方向の固着力が、固着面に円環状溝２５がない平坦面である場合に比べて向上する。したがって、ディスクラバー２２はターンテーブル２１に強固に固着されるため、ディスクラバー２２のずれや剥がれが発生しない。
【００２０】
これにより記録ディスク保持装置２は、従来以上に高速回転する記録ディスクＤを搭載することができる。また、ディスクラバー２２が温度上昇して粘着剤２２ａの粘着力が低下するような環境でも、ディスクラバー２２のずれや剥がれを防止でき、記録ディスク保持装置２を高温環境下でも使用することができる。
【００２１】
記録ディスク回転駆動用モータ１は、ディスクラバー２２が強固に固着されているため、高速回転化されたり高温環境下で使用されても記録ディスクＤを安定して保持することができるため、記録ディスク駆動装置の高性能化を図ることができる。
【００２２】
円環状溝２５の深さは、大きくなりすぎてしまうと粘着剤２２ａが溝の底まで食い込まないため、この溝の効果を十分に活かすことができない。一方、その深さが小さくなりすぎてしまうと粘着剤２２ａの食い込み量が少なくなり、この溝による効果が小さくなる。そのため円環状溝２５の深さは、粘着剤自体の厚みの５〜６０％程度（本例では、０．０１〜０．１ｍｍ程度）が望ましい。また、円環状溝２５の幅は、大きくなりすぎると当接面２１ａで粘着剤２２ａと密着する面積が少なくなり、当接面２１ａに垂直な方向の固着力が十分に確保できなくなる。一方、その溝の幅が小さくなりすぎると粘着剤２２ａの食い込み量が少なくなり、この溝の効果を活かすことができなくなる。そのため円環状溝２５の幅は、粘着剤自体の厚みの５〜６０％程度（本例では０．０１〜０．１ｍｍ程度）が望ましい。
【００２３】
以上、本発明の実施形態について説明したが、本発明の範囲はこれに限定されるものではなく種々の変更が可能である。
【００２４】
例えば、図３に示す形態では、ターンテーブル２１Ａの固着面２１ａに、回転中心線Ｌを中心として固着面２１ａから突出する円環状の凸部２６に設けてもよい。凸部２６の高さおよび幅は、０．０１〜０．１ｍｍが望ましい。粘着剤２２ａは、凸部２６の近傍に食い込むため固着力が向上する。図３では、凸部２６が一条であるが、複数条あっても構わない。凸部２６は、図４の符号２６ａにて示すように、ディスクラバー２２の外縁に沿うように形成されていてもよい。凸部２６ａがこの部位にあると、全ての粘着剤２２ａについて半径方向外方に移動するのを防止できる。凸部２６，２６ａは、円環状ではなく円弧状に形成されていてもよい。
【００２５】
図５に示す形態では、図３および図４で示す凸部２６，２６ａの高さをさらに大きくした凸部２７を形成し、この凸部２７に嵌合する凹部２８（貫通孔でもよい）をディスクラバー２２に設け、凸部２７が凹部２８に嵌合するようにしてディスクラバー２２をターンテーブル２１に固着してもよい。これにより粘着剤２２ａが嵌合部に食い込むと共に、この嵌合部の嵌合力によってディスクラバー２２を一層強固に固着することができる。また、図６に示す形態では、図５に示すディスクラバー２２とターンテーブル２１の嵌合部の関係を反対にして、ディスクラバー２２に凸部２９を設け、ターンテーブル２１に凹部３０を設けるようにしても、図５と同じ効果を得ることができる。
【００２６】
上述した各実施形態の記録ディスク保持装置は、記録ディスクＤをターンテーブル２１に対して押圧する押圧力付与手段（クランパＣ）がターンテーブルに別部材として構成される機構であるが、別の記録ディスク保持装置として、記録ディスクＤの中心孔の上部内縁を、ターンテーブルの中央から半径方向外方に弾性的に可動する複数の押圧爪（押圧力付与手段）によって押圧する部位がターンテーブルに一体的に設けられた機構のものにも適用可能である（例えば特開平５−２５８４３５号公報）。
【図面の簡単な説明】
【００２７】
【図１】本発明の記録ディスク保持装置および記録ディスク回転駆動用モータの一実施形態を示す側面図。
【図２】図１の要部拡大図。
【図３】図１の実施形態を変形した第１変形形態を示す要部拡大図。
【図４】図１の実施形態を変形した第２変形形態を示す要部拡大図。
【図５】図１の実施形態を変形した第３変形形態を示す要部拡大図。
【図６】図１の実施形態を変形した第４変形形態を示す要部拡大図。
【符号の説明】
【００２８】
１      記録ディスク回転駆動用モータ
２      記録ディスク保持装置
４      モータ部
２１    ターンテーブル
２１ａ  当接面
２２    ディスクラバー
２２ａ  粘着剤
２３    ディスク調芯部
２３ａ  調芯爪
２４ａ  ヨーク
２４ｂ  固定用磁石
２５    円環状溝
【図１】
2006202448.tif 000003
【図２】
2006202448.tif 000004
【図３】
2006202448.tif 000005
【図４】
2006202448.tif 000006
【図５】
2006202448.tif 000007
【図６】
2006202448.tif 000008